(57)【要約】      （修正有）【課題】天井高さの減少を抑制すると共に天井パネルを強固に支持し得る天井構造を提供する。【解決手段】建物内空間を区画する壁３、４に沿わせて略全周に亘って支持桟６、８を壁下地に固定し、一方向に対向する壁３間に亘るようにして一方向に略直交する他方向に間隔を空けて複数本の野縁受け部材１０を天井下地２に固定し、野縁受け部材１０に略直交させて、天井パネル２０の一辺の寸法に応じた間隔を空けて複数本の野縁部材１２を野縁受け部材１０の下側に配設し、複数本の野縁部材１２の長手方向両端部１３を他方向に対向する壁４に沿ってそれぞれ固定された支持桟８にそれぞれ支持させ、長手方向途中部位を長手方向途中部位に配設された野縁受け部材１０に固定し、複数枚の天井パネル２０のそれぞれの両側端部２２を、隣接する野縁部材１２にそれぞれ支持させて、少なくとも一方向に沿って複数枚の天井パネル２０を配設した天井構造１。【選択図】図１
2013044145.tif 000002
【特許請求の範囲】
【請求項１】
建物内空間を区画する壁に沿わせるようにして略全周に亘って支持桟を壁下地に固定し、
一方向に対向する壁間に亘るようにして該一方向に略直交する他方向に間隔を空けて複数本の野縁受け部材を天井下地に固定し、
前記野縁受け部材に略直交させるようにして、天井パネルの一辺の寸法に応じた間隔を空けて複数本の野縁部材を前記野縁受け部材の下側に配設し、かつ、これら複数本の野縁部材の長手方向両端部を他方向に対向する壁に沿ってそれぞれ固定された支持桟にそれぞれ支持させ、長手方向途中部位を長手方向途中部位に配設された前記野縁受け部材に固定し、
複数枚の天井パネルのそれぞれの両側端部を、隣接する前記野縁部材にそれぞれ支持させて、少なくとも前記一方向に沿って複数枚の天井パネルを配設した構造とされていることを特徴とする天井構造。
【請求項２】
請求項１において、
前記一方向に対向する壁に沿ってそれぞれ固定された支持桟の上面側内側角部には、前記野縁受け部材の長手方向両端部をそれぞれに受け入れる切欠状の係合段部が設けられていることを特徴とする天井構造。
【請求項３】
請求項１または２において、
前記天井パネルの両側端部には、引掛部材が設けられており、該引掛部材を前記野縁部材に設けられた被掛止部に引っ掛けることで該天井パネルが前記野縁部材に支持される構造とされていることを特徴とする天井構造。
【請求項４】
請求項１乃至３のいずれか１項において、
前記他方向に沿って更に複数枚の天井パネルを配設する構造とし、これら他方向に隣接する天井パネル同士の互いに対向する端部のうちの一方の端部には、前記野縁受け部材に固定される固定部材が設けられ、他方の端部には、前記一方の端部上面に掛け止めされる掛止部材が設けられていることを特徴とする天井構造。
【請求項５】
請求項１乃至４のいずれか１項において、
前記他方向に対向する壁に沿ってそれぞれ固定された支持桟には、前記野縁部材の長手方向両端部に設けられた係合部と係合し、該野縁部材を支持する係合支持部が設けられていることを特徴とする天井構造。
【発明の詳細な説明】
【技術分野】
【０００１】
本発明は、住居等の建物の天井構造に関する。
【背景技術】
【０００２】
従来の天井構造としては、梁や天井スラブに吊ボルトや吊木等の吊部材を固定し、この吊部材の下端に野縁受け部材を固定支持させ、この野縁受け部材に野縁を固定して、この野縁に対して天井パネルを固定した構造とされている。このような吊構造とされた天井構造では、天井高が低くなる傾向があり、また、吊部材によって種々の部材を支持する構造とされているため、安定的な支持がなされ難い傾向があった。また、天井のリフォームを行う際には、大掛かりな工事が必要となり、更なる改善が望まれていた。
下記特許文献１では、天井を施工する領域を介して対向する壁面にそれぞれ固定してほぼ平行に延在配置されたレール状の野縁受けに、これら野縁受けに対してほぼ直交する向きの野縁の両端を移動自在に支持させた構造が提案されている。また、野縁受けと平行に張設したワイヤーロープ等の線状部材を野縁に形成された通過孔に挿入して野縁の長手方向途中部位を支持させ、この野縁に対して天井板を固定する構造とされている。
【先行技術文献】
【特許文献】
【０００３】
【特許文献１】特開２００３−１３８６８７号公報
【発明の概要】
【発明が解決しようとする課題】
【０００４】
しかしながら、上記特許文献１に記載された構造では、比較的に長尺である野縁の長手方向途中部位は、通過孔に挿入された線状部材によって宙吊り状態で支持される構造であるため、この野縁に固定される天井板の安定的な支持が困難となることが考えられる。
【０００５】
本発明は、上記実情に鑑みてなされたものであり、天井高さの減少を抑制することが可能でありながらも天井パネルを強固に支持し得る天井構造を提供することを目的としている。
【課題を解決するための手段】
【０００６】
上記目的を達成するために、本発明に係る天井構造は、建物内空間を区画する壁に沿わせるようにして略全周に亘って支持桟を壁下地に固定し、一方向に対向する壁間に亘るようにして該一方向に略直交する他方向に間隔を空けて複数本の野縁受け部材を天井下地に固定し、前記野縁受け部材に略直交させるようにして、天井パネルの一辺の寸法に応じた間隔を空けて複数本の野縁部材を前記野縁受け部材の下側に配設し、かつ、これら複数本の野縁部材の長手方向両端部を他方向に対向する壁に沿ってそれぞれ固定された支持桟にそれぞれ支持させ、長手方向途中部位を長手方向途中部位に配設された前記野縁受け部材に固定し、複数枚の天井パネルのそれぞれの両側端部を、隣接する前記野縁部材にそれぞれ支持させて、少なくとも前記一方向に沿って複数枚の天井パネルを配設した構造とされていることを特徴とする。
【０００７】
本発明においては、前記一方向に対向する壁に沿ってそれぞれ固定された支持桟の上面側内側角部に、前記野縁受け部材の長手方向両端部をそれぞれに受け入れる切欠状の係合段部を設けるようにしてもよい。
また、本発明においては、前記天井パネルの両側端部に、引掛部材を設け、該引掛部材を前記野縁部材に設けられた被掛止部に引っ掛けることで該天井パネルが前記野縁部材に支持される構造としてもよい。
また、本発明においては、前記他方向に沿って更に複数枚の天井パネルを配設する構造とし、これら他方向に隣接する天井パネル同士の互いに対向する端部のうちの一方の端部に、前記野縁受け部材に固定される固定部材を設け、他方の端部に、前記一方の端部上面に掛け止めされる掛止部材を設けてもよい。
また、本発明においては、前記他方向に対向する壁に沿ってそれぞれ固定された支持桟に、前記野縁部材の長手方向両端部に設けられた係合部と係合し、該野縁部材を支持する係合支持部を設けてもよい。
【発明の効果】
【０００８】
本発明に係る天井構造は、上述のような構成としたことで、天井高さの減少を抑制することが可能でありながらも天井パネルを強固に支持することができる。
【図面の簡単な説明】
【０００９】
【図１】（ａ）、（ｂ）は、いずれも本発明の一実施形態に係る天井構造の一例を模式的に示し、（ａ）は、図２におけるＸ−Ｘ線矢視に対応させた一部破断概略縦断面図、（ｂ）は、図２におけるＹ−Ｙ線矢視に対応させた一部破断概略縦断面図である。
【図２】同天井構造を模式的に示す概略平面図である。
【図３】同天井構造を模式的に示す一部分解概略斜視図である。
【図４】（ａ）は、図３におけるＺ１部に対応させた概略拡大斜視図、（ｂ）は、図３におけるＺ２部に対応させた一部省略概略拡大平面図、（ｃ）、（ｄ）は、いずれも同天井構造に用いられる支持桟と野縁部材との連結構造の一変形例を模式的に示し、一部を省略した一部破断概略縦断面図である。
【図５】（ａ）、（ｂ）は、いずれも同天井構造の施工手順の一例を模式的に示し、それぞれ図１（ａ）に対応させた一部省略一部破断概略縦断面図である。
【図６】（ａ）、（ｂ）は、同施工手順の一例を模式的に示し、それぞれ図１（ｂ）に対応させた一部省略一部破断概略縦断面図である。
【発明を実施するための形態】
【００１０】
以下に本発明の実施の形態について、図面に基づいて説明する。
なお、一部の図では、他図に付している詳細な符号の一部を省略している。
また、以下の実施形態では、図２に示すＸ方向に沿う方向に見た状態を基準として、前後、左右の方向を説明し、また、施工した状態を基準として、上下方向を原則的に説明する。
【００１１】
図１〜図６は、本実施形態に係る天井構造の一例について説明するための概念的な説明図である。
本実施形態に係る天井構造１は、図２及び図３に示すように、天井支持装置によって支持された複数枚の天井パネル２０によって天井を形成した構造とされている。本実施形態では、一方向（左右方向）に沿って複数枚（図例では、７枚）の天井パネル２０を配設し、該一方向に略直交する他方向（前後方向）に沿って複数枚（図例では、３枚）の天井パネル２０を配設して、天井を形成した例を示している。
【００１２】
天井支持装置は、建物内空間を区画する壁３，３，４，４に沿わせるようにして略全周に亘って設けられた支持桟６，８と、天井下地２に固定される複数本の野縁受け部材１０と、これら支持桟６，８及び野縁受け部材１０に支持される複数本の野縁部材１２と、を備えている。
本実施形態では、一方向に対向する壁（左右の壁）３，３にそれぞれ沿わせるように左右の支持桟６，６を設け、他方向に対向する壁（前後の壁）４，４にそれぞれ沿わせるように前後の支持桟８，８を設けている。また、図例では、建物内空間を区画する右側の壁３と前側の壁４との隅部に相当する部位に凹み部位が形成された例を示しており、この凹み部位にも当該部位に沿うように支持桟６，８を設けた例を示している。
【００１３】
これら支持桟６，８は、図１に示すように、略角柱状に形成されており、例えば、無垢木材や集成木材、木質積層材、木質繊維材等の木質系材料から形成されたものとしてもよく、金属系材料から形成されたものとしてもよい。これら支持桟６，８は、いずれも縦断面形状が略同寸同形状とされており、上面側内側（支持桟同士が対向する側、室内空間側）角部に切欠状の係合段部７，９を設けた形状とされている。これら支持桟６，８の係合段部７，９の上下寸法（支持桟上面との段差寸法）は、後記する野縁受け部材１０の上下寸法（厚さ寸法）と略同寸法としてもよく、または、野縁受け部材１０の厚さ寸法よりも僅かに小さい寸法若しくは僅かに大きい寸法としてもよい。
【００１４】
また、これら支持桟６，８は、図４（ｂ）に示すように、壁下地３ｂ，４ｂに固定される。これら支持桟６，８の壁下地３ｂ，４ｂへの固定は、ねじや釘等の固定止具５によって固定するようにしてもよい。この場合は、これら支持桟６，８の長手方向に間隔を空けて複数箇所に固定止具５を捩じ込み（または打ち込み）、壁下地３ｂ，４ｂに対して固定するようにしてもよい。また、本実施形態に係る天井構造１を、リフォーム等の際に採用する場合には、左右の壁３，３及び前後の壁４，４を構成する既設の壁材３ａ，４ａの裏面側に設けられた柱材（間柱、通し柱）や、胴縁、桟材、スタッド等を壁下地３ｂ，４ｂとしてもよい。また、本実施形態に係る天井構造１を、新たに施工する場合には、柱材（間柱、通し柱）や、胴縁、桟材、スタッド等を壁下地３ｂ，４ｂとしてもよく、または、それらの室内側に下地パネルを設けたものを壁下地３ｂ，４ｂとしてもよい。また、このように木造や鉄骨造の下地を壁下地とする態様に限られず、鉄筋コンクリート造等の建築物において、直壁仕上げ等とされている場合には、その仕上げ面を壁下地としてもよい。この場合は、適宜、コンクリート用のアンカーボルト（プラグ）等の固定止具を採用するようにしてもよい。
【００１５】
また、本実施形態では、これら支持桟６，８を、図１に示すように、天井下地２の下面に、それぞれの上面を当接または近接対面させるようにして固定している。つまり、天井下地２と壁３，４との入隅部に沿わせるようにして壁下地３ｂ，４ｂに固定するようにしてもよい。
また、本実施形態では、図１に示すように、これら支持桟６，８の上下寸法（厚さ寸法）を、後記する野縁受け部材１０、野縁部材１２及び天井パネル２０のそれぞれの上下寸法（厚さ寸法）を足し合わせた寸法と略同寸法としている。つまり、支持桟６，８の上面を天井下地２の下面に当接または近接対面させ、また、野縁受け部材１０、野縁部材１２及び天井パネル２０を天井下地２側から積み重ねるように施工した状態では、天井パネル２０の下面と支持桟６，８の下面とが略同一平面状となる。これによれば、支持桟６，８と天井パネル２０との間に段差等が形成され難くなるため、廻り縁部材等によって支持桟６，８と天井パネル２０との間の隙間を塞ぐような場合にも見栄え良く納めることができる。
【００１６】
なお、建物内空間を区画する壁によって形成される平面視における形状は、図例のような一隅部に凹み部位が形成されたものに限られず、上記一隅部以外にも凹み部位が形成されたものや、さらには、突出部位が形成されたような形状としてもよい。また、このような凹み部位や突出部位が形成された形状に限られず、略矩形状とされたものとしてもよい。そして、これら各形状とされた建物内空間を区画する内周壁３，４の略全周に亘って支持桟６，８を設けるようにすればよい。
【００１７】
野縁受け部材１０は、図１〜図３に示すように、左右の壁３，３間に亘るようにして前後方向に間隔を空けて複数本（図例では、７本）設けられている。この野縁受け部材１０は、長尺棒状体とされており、図１（ｂ）に示すように、縦断面における外郭形状が扁平な略矩形状とされている。図例では、上方側及び長手方向両側に開口する中空状の野縁受け部材１０を例示している。
この野縁受け部材１０は、図１（ｂ）に示すように、上記同様の固定止具５によって天井下地２に固定される（図６も参照）。この野縁受け部材１０の天井下地２への固定は、当該野縁受け部材１０の長手方向に間隔を空けて複数箇所に固定止具５を捩じ込み（または打ち込み）、天井下地２に対して固定するようにしてもよい。また、本実施形態に係る天井構造１を、リフォーム等の際に採用する場合において、既設天井を撤去等することなく施工する場合には、既設天井を構成する天井材（天井パネル）の裏面側（上面側）に設けられた既設天井の野縁等の天井下地を天井下地２としてもよい。また、本実施形態に係る天井構造１を新たに施工する場合には、その他の桟材や天井スラブ等を天井下地２としてもよい。また、上記同様、鉄筋コンクリート造等の建築物において、直天井仕上げ等とされている場合には、その仕上げ面を天井下地としてもよい。この場合は、適宜、コンクリート用のアンカーボルト（プラグ）等の固定止具を採用するようにしてもよい。
【００１８】
また、本実施形態では、図１（ａ）に示すように、野縁受け部材１０は、その長手方向両端部１１，１１を、左右の壁３，３に沿わせるようにして固定された左右の支持桟６，６の係合段部７，７にそれぞれ係合させて天井下地２に固定されている。図例では、これら左右の支持桟６，６の係合段部７，７のそれぞれと天井下地２とによって形成される互いに向き合う方向に開口する係合凹所に、長手方向両端部１１，１１をそれぞれ差し入れるようにして野縁受け部材１０を配設した例を示している。なお、この野縁受け部材１０の長手方向両端部１１，１１は、その下面を、左右の支持桟６，６の係合段部７，７の上面（段底面）に当接させるようにして上記係合凹所に嵌め込まれるものとしてもよい。または、野縁受け部材１０の長手方向両端部１１，１１の下面が、左右の支持桟６，６の係合段部７，７の上面に近接対面されるものとしてもよい。
【００１９】
また、本実施形態では、野縁受け部材１０を、図２及び図３に示すように、前後方向に並設された複数枚の天井パネル２０のそれぞれの前後方向（図例では、長手方向）略中央部位上方側にそれぞれ配設した例を示している。また、野縁受け部材１０を、前後方向に隣接する天井パネル２０，２０同士の継目部位上方側にそれぞれ配設した例を示している（図１（ｂ）も参照）。また、野縁受け部材１０を、前後方向に並設された複数枚の天井パネル２０のうちの最前方側の天井パネル２０の前端部（長手方向端部２１）上方側及び最後方側の天井パネル２０の後端部（長手方向端部２１）上方側にそれぞれ配設した例を示している。なお、この野縁受け部材１０を設ける間隔（ピッチ）は、天井パネル２０の寸法等に応じて、適宜のものとすればよく、上記したいずれかの部位の野縁受け部材１０を設けないようにしてもよく、さらには、上記した部位以外にもさらに設けるようにしてもよい。
【００２０】
野縁部材１２は、図１〜図３に示すように、前後の壁４，４間に亘るようにして、つまり野縁受け部材１０に略直交させるようにして、天井パネル２０の一辺（図例では、短辺）の寸法に応じた間隔を左右方向に空けて複数本（図例では、８本）設けられている。この野縁部材１２は、野縁受け部材１０と同様、長尺棒状体とされ、図１（ａ）に示すように、縦断面における外郭形状が扁平な略矩形状とされている。本実施形態では、下方側及び長手方向両側に開口する中空状の野縁部材１２を例示しており、野縁受け部材１０よりも上下寸法（厚さ寸法）及び幅寸法が大きく形成された野縁部材１２を例示している。図例では、野縁部材１２の厚さ寸法を、後記する天井パネル２０の厚さ寸法と略同寸法とした例を示している。
この野縁部材１２は、図１に示すように、野縁受け部材１０の下側に配設され、その長手方向途中部位が長手方向途中部位に配設された野縁受け部材１０に固定され、また、その長手方向両端部１３，１３が前後の支持桟８，８に支持される。この野縁部材１２の長手方向途中部位と野縁受け部材１０との固定は、図１（ａ）に示すように、上記同様の固定止具５によって固定するようにしてもよく、溶接等の他の接合手段によって固定するようにしてもよい。
【００２１】
また、野縁部材１２は、その長手方向両端部１３，１３と前後の支持桟８，８とを、図１及び図４（ｂ）に示すように、野縁固定具１４によって固定することで、これら前後の支持桟８，８に、その長手方向両端部１３，１３が支持されている（図５及び図６も参照）。図例では、野縁部材１２の長手方向一端部１３の幅方向両側に略Ｌ字状の野縁固定具１４，１４の一片部をそれぞれ固定し、これら野縁固定具１４，１４の他片部を支持桟８の内側面（支持桟８，８同士が対向する面）に、上記同様の固定止具５，５によって固定した例を示している。
また、野縁部材１２には、後記する天井パネル２０の幅方向両側端部２２，２２にそれぞれ設けられた引掛部材２３，２３が引っ掛けられる被掛止部１５が設けられている。本実施形態では、野縁部材１２の幅方向両側に被掛止部１５，１５をそれぞれに設けた例を示しており、これらによって左右方向に隣接する天井パネル２０，２０同士の互いに対向する幅方向側端部２２，２２を支持する構造としている。図例では、これら被掛止部１５，１５を、野縁部材１２の幅方向両側面から幅方向外方側に向けて突出するように形成された被掛止突片部１５，１５とした例を示している。これら被掛止突片部１５，１５は、野縁部材１２の長手方向の略全長に亘って設けられている。
【００２２】
また、本実施形態では、天井パネル２０，２０同士の間に隙間を形成するように左右方向に天井パネル２０を並設し、この隙間に目地材１８を配設した例を示しており、野縁部材１２に、この目地材１８が係止される被係止部１６を設けている。図例では、中空状とされた野縁部材１２の下面略中央に下方側に向けて開口するスリット状の開口を設け、この開口縁を被係止部１６とした例を示している。
目地材１８は、図１（ａ）及び図５（ｂ）に示すように、幅方向両側に、左右方向に隣接する天井パネル２０，２０同士の互いに対向する端面に弾性的に接触するヒレ状弾性片を有している。また、目地材１８は、その上端部に、野縁部材１２の被係止部１６に係止する係止部１９を有している。図例では、野縁部材１２の被係止部１６としての開口両側縁にそれぞれ係止する爪状の係止部１９を上端部の幅方向両側に設けた例を示しており、この係止部１９の弾性変形を伴って当該目地材１８が野縁部材１２に着脱自在に取り付けられる構造とされている。なお、目地材１８と野縁部材１２との係止態様としてはこのような態様に限られず、その他、種々の係止態様の採用が可能であり、また、目地材１８の形状も図例のものに限られず、種々の形状のものが採用可能である。また、この目地材１８としては、合成樹脂系材料等から形成されたものとしてもよい。
【００２３】
上記のように、左右方向に並設される天井パネル２０，２０同士の間に隙間を設けることで、後記するように天井パネル２０を施工する際における施工性を向上させることができる。また、天井パネル２０を取り外す際や交換する際等にも目地材１８を取り外すことで、比較的に容易に天井パネル２０を取り外すことも可能となる。なお、このような左右方向に並設される天井パネル２０，２０同士の間の隙間を設けないようにしてもよい。この場合は、野縁部材１２の被係止部１６及び目地材１８を設けないようにしてもよい。
【００２４】
なお、図例では、最右方側及び最左方側に配設された野縁部材１２の縦断面形状を、これらの内方側に配設された野縁部材１２の縦断面形状と同一形状とした例を示しているが、このような態様に限られない。これら最右方側及び最左方側に配設された野縁部材１２は、天井パネル２０の幅方向の一側端部２２を支持するものであるため、これらを内方側に配設された野縁部材１２とは異なる形状としてもよい。
また、上記した野縁受け部材１０、野縁部材１２、野縁固定具１４は、アルミニウムやステンレス、鉄、炭素鋼等の適宜の金属系材料から押出成形や鋳造成形または切削加工等によって上記形状に成形された金属製としてもよい。また、野縁受け部材１０及び野縁部材１２は、それぞれの壁間に亘るような寸法とされた単一のものからなるものに限られず、比較的に壁間寸法が大きいような場合には、それぞれ、複数本を溶接や他の接合手段によって長手方向に接合したものとしてもよい。
【００２５】
天井パネル２０は、図２及び図３に示すように、本実施形態では、前後方向に長尺の平面視略長方形状で平板状とされている。この天井パネル２０としては、合板やＬＶＬ等の木質積層板、パーティクルボード等の木質ボード、若しくはインシュレーションボードやＭＤＦ（中密度繊維板）等の木質繊維板などの木質系材料から形成されたものとしてもよい。また、これら種々の木質系材料を積層した複合材料から形成されたものとしてもよい。または、石膏ボードやロックウールボード等の無機質系材料から形成されたものとしてもよい。さらには、解繊したケナフ長繊維にバインダーとして合成樹脂系接着剤等を加えてボード化したケナフボードからなるものや、発泡ポリスチレン（発泡ＰＳ）や発泡ウレタンなどの各種フォーム系（発泡系）材料から形成されたものとしてもよい。
【００２６】
また、天井パネル２０としては、上記のような種々の材料から平板状に形成されたものに限られない。例えば、縦枠や横枠等により枠組みした枠部材の間に、厚さ方向に開口する多数の中空筒状セルの集合体からなるハニカムコアなどのコア材を配設し、その表裏を面材によって覆ったいわゆるフラッシュ構造の天井パネル２０としてもよい。
さらに、断熱機能や、吸音機能、防音機能、調湿機能等を有した各種の機能性材料から製されたものや、各種の機能性材料を内蔵した断熱パネル、吸音パネル、防音パネル、調湿パネルなどの機能天井パネル２０としてもよい。さらには、面状の輻射ヒーターを内蔵した暖房機能付きの機能天井パネル２０としてもよく、その他、種々の機能、例えば、送風機能や空気浄化機能、照明機能、音響機能等を備えた機能天井パネル２０としてもよい。この場合は、種々の機能に応じて、適宜の電気機器（例えば、送風機や静電霧化装置、ＬＥＤ（発光ダイオード）などの照明器具、スピーカーや加振器などの音響機器など）を天井パネル２０に設けるようにすればよい。
また、上記のような種々の天井パネルの表面に表面化粧板や化粧樹脂シート（フィルム）、化粧紙等を積層したり、塗装等を施したりしてもよい。
【００２７】
この天井パネル２０の幅方向（左右方向）両側端部２２，２２には、図２及び図３に示すように、野縁部材１２に設けられた被掛止部（被掛止突片部）１５，１５に引っ掛けられる引掛部材２３，２３がそれぞれ設けられている。これら引掛部材２３，２３は、本実施形態では、天井パネル２０の幅方向両側端部２２，２２の裏面（上面）に上記同様の固定止具等によって固定されている（図４（ａ）も参照）。また、本実施形態では、これら引掛部材２３，２３を、それぞれの側端部２２，２２において、当該天井パネル２０の長手方向に間隔を空けて、複数（図例では、４つ）設けた例を示している。
この引掛部材２３は、図１（ａ）及び図５（ｂ）に示すように、天井パネル２０の上面に固定される固定片部と、この固定片部から上方に向けて立ち上がるように形成された立上片部と、この立上片部の上端部に設けられた引掛爪部２３ａとを備えている。これら固定片部、立上片部及び引掛爪部２３ａは、いずれも薄板状とされている。また、引掛爪部２３ａは、立上片部の上端部から天井パネル２０の幅方向外方側で斜め下方側に向けて屈曲されるように形成されている。
また、本実施形態では、引掛部材２３は、天井パネル２０を野縁部材１２に対して上方（天井パネル２０の厚さ方向に沿う方向）に移動させることで、それぞれの立上片部の弾性変形を伴って、野縁部材１２の被掛止突片部１５に係止される構造とされている。
【００２８】
天井パネル２０の幅方向両側端部２２，２２に設けられた引掛部材２３，２３のそれぞれの引掛爪部２３ａ，２３ａが、図１（ａ）に示すように、野縁部材１２の被掛止突片部１５，１５に係止し、引っ掛かり、天井パネル２０の幅方向両側端部２２，２２が野縁部材１２に支持される。また、この状態では、野縁部材１２の被掛止突片部１５，１５に沿って、野縁部材１２の長手方向に天井パネル２０がスライド自在に支持された状態となる。
また、この引掛部材２３は、天井パネル２０が上記のように支持された状態で、図１に示すように、天井パネル２０の上面が野縁部材１２の下面に当接または近接対面するように、野縁部材１２に形成された被掛止突片部１５に応じて立上片部等の寸法が設定されている。また、引掛部材２３は、左右方向に隣接する天井パネル２０，２０同士の互いに対向する端面同士の間に上記隙間が形成されるように、野縁部材１２の幅寸法等を考慮して、天井パネル２０の上記端面から幅方向中央寄りの位置における幅方向側端部２２に設けられている。
【００２９】
また、本実施形態では、前後方向に隣接する天井パネル２０，２０同士の互いに対向する端部（長手方向端部）２１，２１のうちの一方の端部（図例では、後端部）２１に、野縁受け部材１０に固定される固定部材２４を設けている。また、前後方向に隣接する天井パネル２０，２０同士の互いに対向する長手方向端部２１，２１のうちの他方の端部（図例では、前端部）２１に、上記一方の端部２１上面に掛け止めされる掛止部材２５を設けている。これら固定部材２４及び掛止部材２５は、本実施形態では、天井パネル２０の長手方向両端部２１，２１の裏面（上面）に上記同様の固定止具等によって固定されている（図４（ａ）も参照）。また、本実施形態では、これら固定部材２４及び掛止部材２５を、天井パネル２０の長手方向両端部２１，２１のそれぞれにおいて、天井パネル２０の幅方向略中央部位に設けた例を示している（図２及び図３参照）。
【００３０】
固定部材２４は、図１（ｂ）、図４（ａ）及び図６に示すように、天井パネル２０の後端部２１の上面に固定される固定片部と、この固定片部から上方に向けて立ち上がるように形成された立上片部と、この立上片部の上端部に設けられた当接片部２４ａとを備えている。これら固定片部、立上片部及び当接片部２４ａは、いずれも薄板状とされており、固定部材２４は、これらによって略Ｚ字状に形成されている。また、当接片部２４ａは、立上片部の上端部から天井パネル２０の長手方向外方側（後方側）に向けて延びるように形成されており、当該天井パネル２０の後端面よりも後方側に延びるように形成されている。
この固定部材２４は、当接片部２４ａを野縁受け部材１０の下面に当接させて、当接片部２４ａの下方側から上記同様の固定止具５を野縁受け部材１０に対して捩じ込むことで、野縁受け部材１０に固定されるものとしてもよい。または、当接片部２４ａと野縁受け部材１０とを溶接等の他の接合手段によって接合し、野縁受け部材１０に対して固定部材２４を固定する態様としてもよい。この固定部材２４を野縁受け部材１０に対して固定することで、この固定部材２４が設けられた天井パネル２０の後端部２１が野縁受け部材１０に固定支持されることとなる。
【００３１】
掛止部材２５は、図１（ｂ）、図４（ａ）及び図６に示すように、薄板平板状とされ、天井パネル２０の前端部２１の上面に固定されている。また、この掛止部材２５は、天井パネル２０の前端面よりも長手方向外方側（前方側）に向けて突出するように形成された掛止片部２５ａを有している。この掛止部材２５の掛止片部２５ａが前方側に隣接する天井パネル２０の後端部２１の上面に掛け止めされ、これにより、この掛止部材２５が設けられた天井パネル２０の前端部２１が、前方側に隣接する天井パネル２０に支持されることとなる。なお、前方側に隣接する天井パネル２０の後端部２１に設けられた固定部材２４は、この後方側に隣接する天井パネル２０の前端部２１に設けられた掛止部材２５の掛止片部２５ａに干渉しないように設けられている。
【００３２】
また、本実施形態では、前後方向に並設された天井パネル２０のうち、最前方側に配設される天井パネル２０の前端部２１に、前側の壁４に固定された支持桟８の係合段部９に掛け止される前端掛止部材２６を設けている。この前端掛止部材２６は、上記最前方側の天井パネル２０の前端部２１の上面に固定される固定片部と、この固定片部から上方に向けて立ち上がるように形成された立上片部と、この立上片部の上端部に設けられた掛止片部２６ａとを備えている。これら固定片部、立上片部及び掛止片部２６ａは、いずれも薄板状とされており、この前端掛止部材２６は、これらによって略Ｚ字状に形成されている。掛止片部２６ａは、上記最前方側の天井パネル２０の前端面よりも長手方向外方側（前方側）に向けて突出するように形成されている。この前端掛止部材２６の掛止片部２６ａが前側の支持桟８の係合段部９の上面（段底面）に掛け止めされ、これにより、この前端掛止部材２６が設けられた上記最前方側の天井パネル２０の前端部２１が、その前方に位置する支持桟８に支持されることとなる。
【００３３】
また、本実施形態では、前後方向に並設された天井パネル２０のうち、最後方側に配設される天井パネル２０の後端部２１に、後側の壁４に固定された支持桟８の係合段部９に引っ掛けられる後端引掛部材２７を設けている。この後端引掛部材２７は、上記最後方側の天井パネル２０の後端部２１の上面に固定される固定片部と、この固定片部から上方に向けて立ち上がるように形成された立上片部と、この立上片部の上端部に設けられた引掛爪部２７ａとを備えている。これら固定片部、立上片部及び引掛爪部２７ａは、いずれも薄板状とされている。また、引掛爪部２７ａは、立上片部の上端部から上記最後方側の天井パネル２０の長手方向外方側（後方側）で斜め下方側に向けて屈曲されるように形成されている。
また、本実施形態では、この後端引掛部材２７は、天井パネル２０を支持桟８に対して上方（天井パネル２０の厚さ方向に沿う方向）に移動させることで、上記立上片部の弾性変形を伴って、支持桟８の係合段部９に係止される構造とされている。また、この後端引掛部材２７の引掛爪部２７ａが後側の支持桟８の係合段部９の上面（段底面）に引っ掛かって係止され、これにより、この後端引掛部材２７が設けられた上記最後方側の天井パネル２０の後端部２１が、その後方に位置する支持桟８に支持されることとなる。
【００３４】
なお、上記した引掛部材２３，２７、固定部材２４及び掛止部材２５，２６は、上記同様の金属系材料からそれぞれの形状に形成された金属製としてもよい。
また、これら引掛部材２３，２７、固定部材２４及び掛止部材２５，２６を設ける個数や位置、さらにはこれらの形状は、図例のものに限られず、天井パネル２０の質量や各部材の構成等に応じて適宜のものとすればよい。
また、図例では、複数枚の天井パネル２０のうち、右側の壁３に近接配置された天井パネル２０の幅寸法を、建物内空間の左右寸法に応じて、他の天井パネル２０の幅寸法よりも小さい寸法とした例を示しているが、それぞれの幅寸法を略同寸法としてもよい。
また、図例では、建物内空間を区画する壁３，４の上記凹み部位の形状に応じて、当該凹み部位に配置された天井パネル２０の隅部に切欠部を設けた例を示しているが、上記したように建物内空間を区画する壁によって形成される平面視における形状に応じたものとすればよい。
【００３５】
次に、本実施形態に係る天井構造の施工手順の一例について説明する。
まず、図５（ａ）に示すように、左右の支持桟６，６及び前後の支持桟８，８を、上記したように、建物内空間を区画する左右の壁３，３及び前後の壁４，４にそれぞれ沿わせるようにして略全周に亘って壁下地３ｂ，４ｂ（図４（ｂ）参照）に固定する。そして、左右方向に対向する壁３，３間に亘るようにして前後方向に間隔を空けて複数本の野縁受け部材１０を天井下地２に固定する。この際、左右の支持桟６，６の係合段部７，７によって形成される上記係合凹所に、それぞれの野縁受け部材１０の長手方向両端部１１，１１を差し入れ、係合させるようにして固定するようにしてもよい。または、野縁受け部材１０を天井下地２に固定した後に、支持桟６，８を固定する態様としてもよい。
【００３６】
次いで、図５（ａ）、（ｂ）に示すように、野縁受け部材１０に略直交させるようにして、天井パネル２０の短辺の寸法に応じた間隔を空けて複数本の野縁部材１２を野縁受け部材１０の下側に配設する。これら複数本の野縁部材１２は、上記のように、その長手方向両端部１３，１３が前後の支持桟８，８に支持され、長手方向途中部位が長手方向途中部位に配設された野縁受け部材１０に固定されて支持される。なお、この野縁部材１２の長手方向両端部１３，１３を前後の支持桟８，８に連結してこれらに支持させた後に、この野縁部材１２と天井下地２との間の空間に差し込むようにして野縁受け部材１０を配設し、天井下地２に固定する態様としてもよい。
【００３７】
次いで、図５（ｂ）に示すように、上記のように配設された天井支持装置に対して複数枚の天井パネル２０を左右方向及び前後方向にそれぞれ並設させるようにして取り付け、支持させる。この天井パネル２０を取り付ける際には、図６（ａ）に示すように、上記最前方側の天井パネル２０を取り付けた後、後方側の天井パネル２０をこれに隣接させるようにして、取り付け、順次、後方側に向けて天井パネル２０を取り付けるようにしてもよい。この最前方側の天井パネル２０の取り付けは、その幅方向両側端部２２，２２に設けられた引掛部材２３，２３を野縁部材１２の被掛止突片部１５，１５に引っ掛けて野縁部材１２に支持させる。そして、この状態で、この最前方側の天井パネル２０を前方側にスライドさせ、その前端部２１に設けられた前端掛止部材２６の掛止片部２６ａを前側の支持桟８の係合段部９の上面に掛け止め、その前端面を前側の支持桟８の内側面に当接または近接対面させる。そして、この最前方側の天井パネル２０の後端部２１に設けられた固定部材２４の当接片部２４ａを野縁受け部材１０に上記したように固定することで、当該最前方側の天井パネル２０を取り付けるようにしてもよい。
【００３８】
また、上記最前方側の天井パネル２０の後方側に隣接される天井パネル２０は、上記同様、幅方向両側端部２２，２２に設けられた引掛部材２３，２３を野縁部材１２の被掛止突片部１５，１５に引っ掛けて野縁部材１２に支持させる。そして、この状態で、この天井パネル２０を前方側にスライドさせ、その前端部２１に設けられた掛止部材２５の掛止片部２５ａを前方側に隣接する天井パネル２０の後端部２１の上面に掛け止め、その前端面を前方側に隣接する天井パネル２０の後端面に当接または近接対面させる。そして、上記同様、この天井パネル２０の後端部２１に設けられた固定部材２４の当接片部２４ａを野縁受け部材１０に上記したように固定することで、当該天井パネル２０を取り付けるようにしてもよい。そして、順次、後方側に向けて天井パネル２０を前後方向に隣接させて取り付けるようにしてもよい。
【００３９】
また、最後方側の天井パネル２０は、前端側が上方位置となるように斜めに保持した状態で、図６（ｂ）に示すように、前端部２１に設けられた掛止部材２５を前方側に隣接する天井パネル２０の後端部２１の上面に掛け止め、その前端面を前方側に隣接する天井パネル２０の後端面に当接または近接対面させる。そして、この最後方側の天井パネル２０の後端側を上方に移動させ、幅方向両側端部２２，２２の引掛部材２３，２３を野縁部材１２に引っ掛け、また、後端部２１の後端引掛部材２７を後側の支持桟８の係合段部９に引っ掛けることで取り付けるようにしてもよい。この状態では、この後方側の天井パネル２０の後端面が後側の支持桟８の内側面に当接または近接対面した状態となる。
なお、上記した最前方側の天井パネル２０を含み、その他の天井パネル２０も略同様にして、前端側が上方位置となるように斜めに保持した状態で、それぞれの掛止部材２７，２５を前方側の掛止対象に掛け止め、後端側を上方に移動させ、それぞれの引掛部材２３，２３を野縁部材１２に引っ掛ける態様としてもよい。
【００４０】
そして、図５（ｂ）に示すように、左右方向に隣接する天井パネル２０，２０同士の互いに対向する幅方向側端部２２，２２の間に上記したように目地材１８を取り付け、本実施形態に係る天井構造１を施工するようにしてもよい。
なお、上記施工手順は一例であり、各部材及び各部の機能を阻害しない限りにおいて別手順でなされるようにしてもよい。
【００４１】
上記構成とされた本実施形態に係る天井構造１によれば、天井高さの減少を抑制することが可能でありながらも天井パネル２０を強固に支持することができる。
つまり、野縁部材１２は、その長手方向両端部１３，１３が壁下地４ｂに固定された前後の支持桟８，８に支持され、長手方向途中部位が天井下地２に固定された野縁受け部材１０に固定されている。従って、比較的に長尺である野縁部材１２がこれら支持桟８，８及び野縁受け部材１０によって強固に固定支持され、この野縁部材１２によって天井パネル２０を強固に支持することができる。
また、天井パネル２０が支持される野縁部材１２を壁下地４ｂに固定した前後の支持桟８，８によって支持する構造としているので、吊構造の天井構造と比べて、天井高さの減少を抑制することができる。
また、このように天井高さの減少の抑制が可能であるため、既設の天井を破壊することなくそのままとし、この既設天井の下側に施工することもできる。この場合は、リフォーム等の際に大掛かりな工事や廃材が生じないため、極めて施工性を向上させることができる。
【００４２】
また、本実施形態では、左右の支持桟６，６に、野縁受け部材１０の長手方向両端部１１，１１をそれぞれに受け入れる係合段部７，７をそれぞれ設けている。従って、これら左右の支持桟６，６を壁下地３ｂ，３ｂに固定した後に、野縁受け部材１０を天井下地２に固定する際に、野縁受け部材１０の長手方向両端部１１，１１を係合段部７，７に係合させて仮保持させることができる。これによれば、比較的に長尺となる場合が多い野縁受け部材１０の施工性を極めて向上させることができる。
また、野縁受け部材１０が天井下地２から外れたり、天井下地２自体（例えば既設の天井材等や野縁等）が落下したりしたような場合にも、野縁受け部材１０の長手方向両端部１１，１１が左右の支持桟６，６の係合段部７，７に係合して支持される。従って、野縁受け部材１０の落下を防止することができ、天井パネル２０をより安定的に支持することができる。
【００４３】
さらに、本実施形態では、天井パネル２０の幅方向両側端部２２，２２に、引掛部材２３，２３を設け、これら引掛部材２３，２３を野縁部材１２の被掛止部（被掛止突片部）１５，１５に引っ掛けることで天井パネル２０を野縁部材１２に支持させる構造としている。従って、天井パネル２０を固定止具等によって野縁部材１２に固定支持させる構造とした場合と比べて、天井パネル２０の施工性を極めて向上させることができる。
また、これら引掛部材２３，２３は、天井パネル２０の幅方向両側端部２２，２２の上面に固定されているため、天井パネル２０を下方側から見た状態では露出することがない。従って、例えば、上記のような固定止具によって固定する場合と比べて、後処理を要することなく、見栄えを向上させることができる。
【００４４】
また、本実施形態では、前後方向に隣接する天井パネル２０，２０同士の互いに対向する端部２１，２１のうちの一方の端部２１に野縁受け部材１０に固定される固定部材２４を設け、他方の端部２１に上記一方の端部２１上面に掛け止めされる掛止部材２５を設けている。従って、前後方向に隣接する天井パネル２０，２０同士の互いに対向する端部２１，２１のうちの一方の端部２１が野縁受け部材１０に固定され、他方の端部２１が野縁受け部材１０に固定部材２４を介して固定された一方の端部２１上面に掛止部材２５を介して支持される。これにより、前後方向に隣接する天井パネル２０，２０同士の互いに対向する端部２１，２１側をより強固に支持することができる。
【００４５】
さらに、本実施形態では、前後方向に並設された天井パネル２０のうち、最前方側の天井パネル２０の前端部２１に、前側の壁４に固定された支持桟８の係合段部９に掛け止される前端掛止部材２６を設けている。従って、この最前方側に配設される天井パネル２０の前端部２１側をより強固に支持することができる。
さらにまた、本実施形態では、前後方向に並設された天井パネル２０のうち、最後方側の天井パネル２０の後端部２１に、後側の壁４に固定された支持桟８の係合段部９に引っ掛けられる後端引掛部材２７を設けている。従って、この最後方側に配設される天井パネル２０の後端部２１側をより強固に支持することができる。
なお、天井パネル２０は、上述のように、その幅方向両側端部２２，２２が野縁部材１２に支持される。そのため、上記したような長手方向端部２１の固定部材２４、掛止部材２５、前端掛止部材２６及び後端引掛部材２７の全てまたはいずれかを設けないようにしてもよい。
【００４６】
次に、本実施形態に係る天井構造１に用いられる支持桟と野縁部材との連結構造の一変形例について、図４（ｃ）、（ｄ）を参照して説明する。なお、上記した例と同様の構成については、同一符号を付し、その説明を省略または簡略に説明する。また、図４（ｃ）、（ｄ）では、前後の支持桟の一方及びこれに支持される野縁部材の長手方向一端部のみを図示しているが、他方側も同様の構成である。
【００４７】
本変形例では、図４（ｃ）に示すように、前後の支持桟８Ａ，８Ａに、野縁部材１２Ａの長手方向両端部１３Ａ，１３Ａに設けられた係合部１７，１７と係合し、野縁部材１２Ａを支持する係合支持部８ａ，８ａをそれぞれに設けている。
図例では、これら支持桟８Ａの係合支持部８ａと野縁部材１２Ａの係合部１７とは合いじゃくり状に互いに係合して連結される構造とされている。また、図例では、支持桟８Ａの係合支持部８ａに、係止凹部を設け、野縁部材１２Ａの係合部１７に、支持桟８Ａの係合支持部８ａの係止凹部に係止する係止突部を設けた例を示している。
本変形例によれば、これら支持桟８Ａの係合支持部８ａと野縁部材１２Ａの係合部１７とを、図４（ｄ）に示すように、互いに係合させることで、野縁部材１２Ａを支持桟８Ａに対して容易に支持させることができ、施工性をより向上させることができる。
【００４８】
なお、本変形例においては、野縁部材１２Ａの長手方向両端部１３Ａ，１３Ａを前後の支持桟８Ａ，８Ａに連結してこれらに支持させた後に、この野縁部材１２Ａと天井下地２との間の空間に差し込むようにして野縁受け部材１０を配設する態様としてもよい。また、支持桟８Ａの係合支持部８ａ及び野縁部材１２Ａの係合部１７を単純な合いじゃくり構造とした場合には、野縁受け部材１０を配設した後に、野縁部材１２Ａを配設するようにしてもよく、野縁部材１２Ａを配設した後に、野縁受け部材１０を配設するようにしてもよい。
また、本変形例においても、野縁部材１２Ａの長手方向両端部１３Ａ，１３Ａと、前後の支持桟８Ａ，８Ａとを、上記同様の野縁固定具１４，１４によってさらに連結固定する態様としてもよい。
【００４９】
なお、上記した実施形態では、複数枚の天井パネル２０を、左右方向及び前後方向にそれぞれ並べるように配設した例を示しているが、少なくとも左右方向に沿って並べるように複数枚の天井パネル２０を配設する態様としてもよい。この場合は、上記した固定部材２４及び掛止部材２５は不要である。
また、上記した実施形態では、左右の支持桟６，６に係合段部７，７を設け、これら係合段部７，７に野縁受け部材１０の長手方向両端部１１，１１を受け入れさせてそれぞれ係合させた例を示しているが、このような係合段部７，７を設けないようにしてもよい。この場合は、野縁受け部材１０の長手方向両端面を、左右の支持桟６，６の内側面に当接または近接対面させるように野縁受け部材１０を配設する態様としてもよい。
【００５０】
さらに、上記した実施形態では、天井パネル２０の幅方向両側端部２２，２２に、引掛部材２３，２３を設け、これら引掛部材２３，２３を野縁部材１２の被掛止部１５，１５に引っ掛けることで天井パネル２０を野縁部材１２に支持させる構造とした例を示しているが、このような態様に限られない。例えば、天井パネル２０の幅方向両側端部２２，２２を、上記同様の固定止具５によって野縁部材１２に固定することで、天井パネル２０を野縁部材１２に支持させる構造としてもよい。
【符号の説明】
【００５１】
１            天井構造
２            天井下地
３            左右の壁（一方向に対向する壁）
３ｂ          壁下地
４            前後の壁（他方向に対向する壁）
４ｂ          壁下地
６            左右の支持桟（支持桟）
７            係合段部
８，８Ａ      前後の支持桟（支持桟）
８ａ          係合支持部
１０          野縁受け部材
１１          長手方向端部
１２，１２Ａ  野縁部材
１３，１３Ａ  長手方向端部
１５          被掛止突片部（被掛止部）
１７          係合部
２０          天井パネル
２１          長手方向端部（他方向に隣接する天井パネル同士の互いに対向する端部）
２２          幅方向側端部
２３          引掛部材
２４          固定部材
２５          掛止部材
【図１】
2013044145.tif 000003
【図２】
2013044145.tif 000004
【図３】
2013044145.tif 000005
【図４】
2013044145.tif 000006
【図５】
2013044145.tif 000007
【図６】
2013044145.tif 000008